(57)【特許請求の範囲】
【請求項１】
コンテンツ保護情報を伴う映像信号を受けて、デジタル映像信号にデコードするデコーダ部と、
前記コンテンツ保護情報からアナログ映像信号の制御情報を検出する検出部と、
前記デコーダ部がデコードした前記デジタル映像信号を前記アナログ映像信号に変換する変換部と、
前記検出部が検出した前記アナログ映像信号の前記制御情報に基づいて、前記アナログ映像信号の外部への出力を停止させると共に、前記デジタル映像信号を出力させる制御部と、
前記デジタル映像信号を出力可能なケーブルを接続することで前記デジタル映像信号で視聴できることを表示する表示信号を生成して、前記アナログ映像信号の出力端子へ出力する生成部と、を具備することを特徴とする再生装置。
【請求項２】
前記コンテンツ保護情報のアナログ映像信号の制御情報は、ＡＡＣＳのＣＣＩであることを特徴とする請求項１記載の再生装置。
【請求項３】
コンテンツ保護情報を伴う映像信号を受けて、デジタル映像信号にデコードするデコーダ部と、
前記コンテンツ保護情報からアナログ映像信号の制御情報を検出する検出部と、
前記デコーダ部がデコードした前記デジタル映像信号を前記アナログ映像信号に変換する変換部と、
前記検出部が検出した前記アナログ映像信号の前記制御情報に基づいて、前記アナログ映像信号の解像度を低下させると共に、前記デジタル映像信号を出力させる制御部と、
前記デジタル映像信号を出力可能なケーブルを接続することで前記デジタル映像信号によりフル画質で視聴できることを表示する表示信号を生成して、前記アナログ映像信号の出力端子へ出力する生成部と、を具備することを特徴とする再生装置。
【請求項４】
前記コンテンツ保護情報のアナログ映像信号の制御情報は、ＡＡＣＳのＣＣＩであることを特徴とする請求項３記載の再生装置。
【請求項５】
コンテンツ保護情報を伴う映像信号を受けて、デジタル映像信号にデコードし、
前記コンテンツ保護情報からアナログ映像信号の制御情報を検出し、
前記デコードしたデジタル映像信号をアナログ映像信号に変換し、
前記アナログ映像信号の制御情報に基づいて、前記アナログ映像信号の外部への出力を停止させると共に、前記デジタル映像信号を出力させるべく制御し、
前記デジタル映像信号を出力可能なケーブルを接続することで前記デジタル映像信号で視聴できることを表示する表示信号を生成して、前記アナログ映像信号の出力端子へ出力することを特徴とする再生方法。
【請求項６】
前記コンテンツ保護情報のアナログ映像信号の制御情報は、ＡＡＣＳのＣＣＩであることを特徴とする請求項５記載の再生方法。
【請求項７】
コンテンツ保護情報を伴う映像信号を受けて、デジタル映像信号にデコードし、
前記コンテンツ保護情報からアナログ映像信号の制御情報を検出し、
前記デコードしたデジタル映像信号をアナログ映像信号に変換し、
前記アナログ映像信号の制御情報に基づいて、前記アナログ映像信号の解像度を低下させると共に、前記デジタル映像信号を出力させるべく制御し、
前記デジタル映像信号を出力可能なケーブルを接続することで前記デジタル映像信号によりフル画質で視聴できることを表示する表示信号を生成して、前記アナログ映像信号の出力端子へ出力することを特徴とする再生方法。
【請求項８】
前記コンテンツ保護情報のアナログ映像信号の制御情報は、ＡＡＣＳのＣＣＩであることを特徴とする請求項７記載の再生方法。
【発明の詳細な説明】
【技術分野】
【０００１】
この発明は、コンテンツ保護情報を伴う映像信号を再生する再生装置に関し、特にアナログ映像信号の出力制御を行なう再生装置及び再生方法に関する。
【背景技術】
【０００２】
最近、デジタル機器の普及と共にデジタルコンテンツの再生装置が一般化しつつあり、従来のＶＴＲ（Video Tape Recorder）による再生処理の場合よりも、多くの映像情報を容易に再生することが可能となってきている。このような再生装置においては、解像度が非常に高いためデジタルコンテンツのコピー防止はもちろんのこと、アナログ映像信号についても一定のコピー防止を設けなければ、コンテンツの著作権を保護できないという状況がある。
【０００３】
ここで、特許文献１においては、アナログ映像信号について、アナログ出力禁止の情報が読み出された場合、再生機は、映像のアナログ出力を行ってはいけないため、映像出力はデジタル出力端子側のみに行うことにより、アナログ信号の不正コピーを防止するものである。
【特許文献１】特開２００５−２５２７０公報。
【発明の開示】
【発明が解決しようとする課題】
【０００４】
しかし、上記した従来技術においては、アナログ出力でＴＶ等に接続して再生を視聴していたユーザにとっては、何らの説明もないまま、突然、画面が消滅して何の反応も示さないため、再生装置が故障したかの印象を与え、再生装置で何が起こっているのか判らないという問題がある。
【０００５】
本発明は、確実にアナログ映像信号のコピー防止を行なうことができる再生装置を提供することを目的とする。
【課題を解決するための手段】
【０００６】
本発明の一実施形態は、コンテンツ保護情報を伴う映像信号を受けて、デジタル映像信号にデコードするデコーダ部と、前記コンテンツ保護情報からアナログ映像信号の制御情報を検出する検出部と、前記デコーダ部がデコードした前記デジタル映像信号を前記アナログ映像信号に変換する変換部と、前記検出部が検出した前記アナログ映像信号の前記制御情報に基づいて、前記アナログ映像信号の外部への出力を停止させると共に、前記デジタル映像信号を出力させる制御部と、前記デジタル映像信号を出力可能なケーブルを接続することで前記デジタル映像信号で視聴できることを表示する表示信号を生成して、前記アナログ映像信号の出力端子へ出力する生成部と、を具備することを特徴とする再生装置である。
【発明の効果】
【０００７】
上記の再生装置は、表示信号でアナログ映像信号の外部への出力が制御されていることを示しながら、アナログ映像信号の外部出力の制御（停止や解像度制限）を行なうため、ユーザに状況を説明しながら、アナログ映像信号の保護を行なうことができる。
【発明を実施するための最良の形態】
【０００８】
以下、この発明の実施の形態について図面を参照して詳細に説明する。  
＜本発明の一実施形態に係る再生装置＞
（構成）
初めに、図１は、本発明の一実施形態に係る再生装置の構成の一例を示すブロック図である。図１の再生装置１は、一例としてマイクロコンピュータ等により再生装置内の各構成の動作を制御する制御部３０と、データバスを介して制御部３０に接続され、光ディスクＤ（例えば、ＨＤ  ＤＶＤ（High Density Digital Versatile Disc）や通常のＤＶＤ等）の記録情報をピックアップ等で読み出すディスクドライブ部１９と、この出力信号を受けＭＰＥＧデコード（又はＨ．２６４、ＶＣ−１等、データの内容により切り替る）のデコード処理等を行なう信号処理部３４と、コンテンツ情報等を記憶する記憶部１７と、リモコン等を含みユーザの操作に応じた操作信号を出力する操作部３２とを有している。更に、再生装置１は、信号処理部３４からの出力信号からコンテンツ保護情報を検出するコンテンツ保護情報検出部３１と、信号処理部３４からの再生信号の解像度を制御する解像度制御部３５と、主にアナログ映像出力の制御に関するメッセージ画面を生成してアナログ映像出力に重畳するＯＳＤ（On Screen Display）部３６と、デジタル映像信号を出力するデジタル映像出力部３７と、アナログ映像信号を出力するアナログ映像出力部３８とを有しており、図６で示すようなＨＤＭＩ（High Definition Multimedia Interface）（登録商標）ケーブル等のデジタル映像信号ケーブル３９と、同様にコンポジット映像信号ケーブル等のアナログケーブル４０とにより、外部のアナログ／デジタルモニタ部４１に接続されている。
【０００９】
（動作）
このような構成の再生装置１において、光ディスクに例を取って、再生処理を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１０】
次に、この再生処理を詳細に説明する。信号処理部３４は、デコード（伸張）機能を有しており、先のＲＦ信号をデコードし、デコードされた主映像にデコードされた副映像を適宜合成し、主映像にメニュー、ハイライトボタン、字幕やその他の副映像を重ねて出力するビデオプロセッサを備えている。
【００１１】
信号処理部３４からの映像音声信号は、解像度制御部３５に供給され、解像度制御部３５では、デジタル映像信号はアナログ映像信号に適宜変換されてアナログ映像出力部３８に供給されると共に、デジタル映像信号が変換されることなくデジタル映像出力部３７に供給される。又、解像度制御部３５では、コンテンツ保護情報検出部３１で検出されたコンテンツ保護情報であるＡＡＣＳ（Advanced Access Content System）等に応じた制御信号をコンテンツ保護情報検出部３１から供給され、この制御信号をデジタル映像出力部３７及びアナログ映像信号出力部３８に供給することにより、後述するように解像度制御及びアナログ映像出力の制御を行なうものである。又、ＯＳＤ（On Screen Display）部３６では、後述するように、主にアナログ映像出力の制御についてのメッセージ画面を生成してアナログ映像出力に重畳する。
【００１２】
又、デジタル映像出力部３７は、図６で示すようにＨＤＭＩ（High Definition Multimedia Interface）（登録商標）ケーブル等のデジタル映像信号ケーブル３９と、コンポジット映像信号ケーブル４０とでデジタル／アナログモニタ４１等に接続されている。
【００１３】
（他の実施形態の構成）
図１においては、再生専用機である再生装置１を例にとって説明したが、本発明に係る実施形態は再生専用機で実施することに限定されるものではなく、記録機能をもった再生装置１０においても実施することが可能である。以下に、記録機能をもった再生装置１０の例を図面を用いて詳細に説明する。
【００１４】
図２は、本発明の他の一実施形態に係る再生装置の構成の一例を示すブロック図である。図２の再生装置１０は、２種類のディスクドライブ部を有する。まず、ビデオファイルを構築できる情報記録媒体である第１のメディアとしての光ディスクＤを回転駆動し、情報の読み書きを実行する光ディスクドライブ部１９を有する。又、第２のメディアとしてのハードディスクを駆動するハードディスクドライブ部１８を有する。制御部３０は、全体の動作を司るべくデータバスを介して各部に接続されている。
【００１５】
又、図２の再生装置１０は、録画側を構成するエンコーダ部２１と、再生側を構成するデコーダ部２３と、装置本体の動作を制御する制御部３０とを主たる構成要素としている。再生装置１０は、入力側のセレクタ１６を有しており、入力側のセレクタ１６には、ＬＡＮ等の通信部１１と、いわゆる衛星放送（ＢＳ／ＣＳ）チューナ部１２と、いわゆる地上波チューナ部１３とが接続され、エンコーダ部２１に信号を出力する。又、ＢＳ／ＣＳチューナ部１２には衛星アンテナが、地上波チューナ部１３には地上波アンテナが接続されている。又、再生装置１０は、エンコーダ部２１と、エンコーダ部２１の出力を受け、データ編集等の所望のデータ処理を行うデータ編集部２０、データ編集部２０に接続されるハードディスクドライブ部１８、光ディスクドライブ部１９を有している。更に、再生装置１０は、ハードディスクドライブ部１８、光ディスクドライブ部１９からの信号を受けてデコード（伸張）するデコーダ部２３、エンコーダ部２１、バッファ部２２、多重化部２８、分離部２９、予約録画部２４を有している。これらの各部は、データバスを介して全体の動作を制御する制御部３０に接続されている。
【００１６】
更に、再生装置１０は、データバスを介して制御部３０に接続され、ユーザの操作やリモコンＲの操作を受ける操作部３２を有している。ここで、リモコンＲは、再生装置１０の本体に設けられる操作部３２とほぼ同等の操作を可能とするものであり、ハードディスクドライブ部１８や光ディスクドライブ部１９の記録再生指示や、編集指示、又、チューナの操作、予約録画の設定等、各種設定が可能である。
【００１７】
（動作）
・基本動作
このような構成の再生装置１０において、光ディスクに例を取って、再生処理と記録処理の概要を説明すると、制御部３０の制御下において、所定速度に回転される光ディスクＤは、レーザ光が照射されその反射光が光ピックアップにより検出され、これに基づく検出信号が出力される。この検出信号に基づいて、ＲＦ信号が生成され、データの読取処理に続いて再生処理が行われる。
【００１８】
又、光ディスクの記録処理は、制御部３０の制御下において、例えば図示しない入力部を介しセレクタ部１６を介して供給されたデータは、エンコーダ部２１に供給され、コード化されて出力される。このコード化出力と制御部３０の出力に応じて、レーザドライバの駆動電流が光ピックアップに供給され、光ディスクＤの記憶領域に照射することで、記録処理が行われるものである。
【００１９】
・記録処理等
次に、このような構成を有する再生装置１０の動作を、更に詳細に説明する。初めに、主に記録時の動作について、他の実施形態も含めて詳細に説明する。再生装置１０の入力側として、ＬＡＮ等の通信部１１は、外部機器と接続して、例えば図示しないモデム等を介しインターネット等の通信路を経由して図示しない番組情報提供サーバ等と通信を行ったり、コンテンツ情報等をダウンロードしたりする。又、ＢＳ／ＣＳチューナ部１２、地上波チューナ部１３は、アンテナを介して放送信号を選局し復調して映像信号及び音声信号を入力するもので、広範な種類の放送信号に対応する。例えば、地上波アナログ放送、地上波デジタル放送、ＢＳアナログ放送、ＢＳデジタル放送、ＣＳデジタル放送等に及ぶものであり、これに限るものではない。又、必ずしも一つだけを設けるものではなく、例えば、地上波アナログ放送のチューナ部や、ＢＳ／ＣＳチューナ部を２つ又は３つ以上を有し、予約録画の要求に応じて平行して機能させる場合も含んでいる。
【００２０】
又、先の通信部１１は、ＩＥＥＥ１３９４インタフェースであってもよく、ネットワーク上の外部機器からデジタルコンテンツを受けることが可能である。又、図示しない入力端部から、輝度信号や色差信号、コンポジット等の映像信号、音声信号を受けることも可能である。これらは、制御部３０等で制御されるセレクタ１６により、入力が制御されて、エンコーダ部２１に選択的に供給される。
【００２１】
エンコーダ部２１は、セレクタ１６により入力されたアナログビデオ信号やアナログオーディオ信号をデジタル化するビデオ用及びオーディオ用のアナログデジタルコンバータと、ビデオエンコーダと、オーディオエンコーダとを有する。更に、副映像エンコーダも含む。エンコーダ部２１の出力は、所定のＭＰＥＧ等の圧縮フォーマットに変換され、先の制御部３０に供給される。
【００２２】
又、ＢＳ／ＣＳチューナ１２等は、必ずしも内蔵されている必要はなく、データ入力端子を介して外付けされて、受信したデジタル信号をセレクタ部１６を介してエンコーダ部２１や制御部３０に供給することも好適である。
【００２３】
ここで図２の装置は、エンコーダ部２１でエンコードされた情報（ビデオ、オーディオ、副映像データなどのパック）及び作成された管理情報を、制御部３０を介してハードディスクドライブ部１８又は光ディスクドライブ部１９に供給し、ハードディスクドライブ部１８、又は、光ディスクＤに記録することができる。又、ハードディスクドライブ部１８、又は、光ディスクＤに記録された情報を、制御部３０、光ディスクドライブ部１９を介して光ディスクＤ、又は、ハードディスクドライブ部１８に記録することもできる。
【００２４】
・編集処理等  
データ編集部２０により、ハードディスクドライブ部１８又は光ディスクＤに記録されている複数番組のビデオ・オブジェクトを、一部削除したり、異なる番組のオブジェクトをつなげたり、といった編集処理を行うこともできる。
【００２５】
・再生処理等  
次に、主に記録された情報の再生処理について、他の実施形態も含めて詳細に説明する。デコーダ部２３は、デコード（伸張）された主映像にデコードされた副映像を適宜合成し、主映像にメニュー、ハイライトボタン、字幕やその他の副映像を重ねて出力するビデオプロセッサを備えている。
【００２６】
デコーダ部２３の出力オーディオ信号は、信号処理部３４に供給され処理された後に、解像度制御部３５に供給される。解像度制御部３５では、デジタル映像信号はアナログ映像信号に適宜変換されてアナログ映像出力部３８に供給されると共に、デジタル映像信号が変換されることなくデジタル映像出力部３７に供給される。又、解像度制御部３５では、コンテンツ保護情報検出部３１で検出されたコンテンツ保護情報であるＡＡＣＳ（Advanced Access Content System）等に応じた制御信号をコンテンツ保護情報検出部３１から供給され、この制御信号をデジタル映像出力部３７及びアナログ映像信号出力部３８に供給することにより、後述するように解像度制御及びアナログ映像出力の制御を行なうものである。又、ＯＳＤ（On Screen Display）部では、後述するように、主にアナログ映像出力の制御についてのメッセージ画面を生成してアナログ映像出力に重畳する。
【００２７】
又、デジタル映像出力部３７は、図６で示すようにＨＤＭＩ（High Definition Multimedia Interface）（登録商標）ケーブル等のデジタル映像信号ケーブル３９と、コンポジット映像信号ケーブル４０とでデジタル／アナログモニタ４１等に接続されている。
【００２８】
・予約録画処理
又、通信部１１等から取得した電子番組情報に基づいて、録画予約一覧や番組表を用いて、ユーザのリモコンＲ等の操作により特定した番組に応じて、録画予約処理が可能である。予約された予約録画情報に基づいて、制御部３０及び予約録画部２４の働きにより、予約時刻になると、ＢＳ／ＣＳチューナ部１２又は地上波チューナ部１３が受信した番組情報が復調された映像音声信号が、エンコーダ２１等のエンコード処理を経て、例えば、ハードディスクドライブ１８に記録（予約録画）される。
【００２９】
この実施形態の再生装置１０は、このように総合的な機能を有するものであり、多くのソースに対して光ディスクＤ又はハードディスクドライブ部１８による記録・再生処理を行うものである。
【００３０】
＜本発明の一実施形態である再生装置のアナログ映像信号制御処理の一例＞
次に、上述した再生装置１又は再生装置１０の特にアナログ映像信号の制御処理の一例について、図面を用いて詳細に説明する。アナログ映像信号の制御処理は、再生装置１又と再生装置１０とに共通した動作である。ここで、図３は、本発明の一実施形態に係る再生装置における出力制限処理（アナログ信号制御）の一例を示すフローチャート、図４は、本発明の一実施形態に係る再生装置における出力制限処理（解像度制御）の一例を示すフローチャート、図５は、本発明の一実施形態に係る再生装置における出力制限処理の一例を示すフローチャート、図６は、本発明の一実施形態に係る再生装置と表示装置との接続の一例を示す説明図、図７は、本発明の一実施形態に係る再生装置における出力制御処理のメッセージを表示する画面の一例を示す説明図である。
【００３１】
・アナログ映像信号の停止
初めに、再生装置１において、コンテンツ保護情報によるアナログ映像信号の停止処理について述べる。ここで、コンテンツ保護情報とは、一例として、コンテンツ情報が伴うＡＡＣＳ（Advanced Access Content System）のコンテンツ保護フラグであるが、必ずしもこれに限るものではない。
【００３２】
このＡＡＣＳを用いる場合、ＡＡＣＳのＣＣＩ（Copy Control Information）の中に幾つかの情報が記述されており、その中には、従来のＣＣＩ情報、アナログ出力制限信号や、画質制限信号、更に他の情報も示されている。このアナログ出力制限信号と、画質制限信号とを、ＡＡＣＳのコンテンツ保護フラグとして、以下の実施形態を実施する場合が好適であるが、この実施形態に限定されるものではない。
【００３３】
図３のフローチャートにおいて、再生装置１は、例えば、ＨＤ  ＤＶＤを光ディスクドライブ部１９において、コンテンツを再生している（ステップＳ１１）。ここで、コンテンツ保護情報検出部３１が、信号処理部３４等の中のＡＡＣＳから、アナログ映像信号のコンテンツ保護フラグを検出する（ステップＳ１２）。そして、このＡＡＣＳ等の保護フラグがアナログ映像信号の出力制限を示しており（ステップＳ１３）、特に、アナログ映像信号を出力させないことを示していれば（ステップＳ１４）、コンテンツ保護情報検出部３１から解像度制御部３５へ供給される制御信号によって、アナログ映像信号の出力を停止させる（ステップＳ１５）。
【００３４】
すなわち、解像度制御部３５において、コンテンツ保護情報検出部３１から供給された制御信号によって、デジタル映像信号から変換されたアナログ映像信号は、アナログ映像出力部３８に供給されずに停止されるものである。このとき、アナログ映像信号の停止と共に、ＯＳＤ３６の表示情報の生成機能において、図７のスクリーン５１に示すように、『アナログ出力不可コンテンツのため、デジタル出力のＨＤＭＩ（登録商標）ケーブルを接続してデジタル出力で視聴して下さい』等のように、警告表示を行なう。
【００３５】
これにより、アナログ出力でモニタ４１を視聴していたユーザは、例えば、ＨＤ  ＤＶＤの再生中に映像がとぎれたとしても、アナログ映像が途切れた理由がコンテンツ保護情報のための正常動作の処理であり、再生装置の故障ではなく、更に、デジタル出力のＨＤＭＩ（登録商標）ケーブルを接続してデジタル出力で視聴することができるということを知ることができるので、起こっている状況を把握することが可能となる。
【００３６】
従って、ユーザは、もし、図６に示すアナログケーブル４０だけしか再生装置１とモニタ４１との間の接続がなされていなければ、ＨＤＭＩ（登録商標）ケーブル３９を接続して、リモコンＲ等を操作してデジタル映像信号の再生を選択することで、デジタル映像信号の再生映像を視聴することも可能である。
【００３７】
なお、ここで、コンテンツ保護情報を伴うコンテンツ情報は、ＨＤ  ＤＶＤの再生により取得した場合を説明したが、必ずしもディスクを再生した場合に限るものではなく、単に外部端子から与えられるコンテンツ情報であっても同様に処理がなされるもので、様々なコンテンツ情報の取得方法が同様に可能である。
【００３８】
・アナログ映像信号の画素数制限
次に、再生装置１において、コンテンツ保護情報によるアナログ映像信号の画素数制限処理について述べる。ここで、コンテンツ保護情報とは、一例として、コンテンツ情報が伴うＡＡＣＳのコンテンツ保護フラグであるが、これに限るものではない。図４のフローチャートにおいて、再生装置１は、例えば、ＨＤ  ＤＶＤを光ディスクドライブ部１９において、コンテンツを再生している（ステップＳ１１）。ここで、コンテンツ保護情報検出部３１が、信号処理部３４等の中のＡＡＣＳから、アナログ映像信号のコンテンツ保護フラグを検出する（ステップＳ１２）。そして、このＡＡＣＳ等の保護フラグがアナログ映像信号の出力制限を示しており（ステップＳ１３）、特に、アナログ映像信号の解像度制御を行なうことを示していれば（ステップＳ２１）、コンテンツ保護情報検出部３１から解像度制御部３５へ供給される制御信号によって、アナログ映像信号の解像度を制限されている値に変換する（ステップＳ２２）。
【００３９】
すなわち、一例として、ユーザが事前に解像度を１０８０ｉや７２０ｐで表示させようとリモコンＲ等で設定してあったとしても、解像度制御部３５は、コンテンツ保護情報検出部３１から供給される制御信号に応じて、コンテンツ保護フラグが指定する例えば４８０ｐへと、アナログ映像信号を変換する（ステップＳ２２）。これにより、図７のスクリーン５２に示すように、解像度は４８０ｐ等の低い映像が表示されることとなる。このとき、例えば『ＳＤ』等と所定時間だけ画面表示することで、解像度が低下していることを表示することも好適である。
【００４０】
更に、このとき、アナログ映像信号の停止と共に、ＯＳＤ３６の表示情報の生成機能において、図７のスクリーン５２に示すように、『アナログ出力制限コンテンツのため、画素数が４８０ｄｐｉに制限されています。フル画質でみるときは、デジタル出力のＨＤＭＩ（登録商標）ケーブルを接続してデジタル出力で視聴して下さい』等のように、警告表示を行なう。
【００４１】
これにより、アナログ出力でモニタ４１を視聴していたユーザは、例えば、ＨＤ  ＤＶＤの再生中や再生開始時に映像が低解像度として表示されたとしても、低解像度の理由がコンテンツ保護情報のための正常動作の処理であり、再生装置の故障ではないことを知ることができる。更に、デジタル出力のＨＤＭＩ（登録商標）ケーブルを接続してデジタル出力で視聴することができるということを知ることができるので、起こっている状況を把握することが可能となる。
【００４２】
従って、ユーザは、もし、図６に示すアナログケーブル４０だけしか再生装置１とモニタ４１との間の接続がなされていなければ、ＨＤＭＩ（登録商標）ケーブル３９を接続して、リモコンＲ等を操作してデジタル映像信号の再生を選択することで、フル画質のデジタル映像信号の再生映像を視聴することも可能となるものである。
【００４３】
・アナログ映像信号の停止及び画素数制限
更に、これらのアナログ映像信号の停止及び画素数制限を同時に選択的に行なうことも可能である。すなわち、図５のフローチャートは、図３及び図４のフローチャートの動作をコンテンツ保護情報のコンテンツ保護フラグの内容に従って選択的に行なうことを示すものであり内容は重複するので、説明を省略する。
【００４４】
ここでは、ステップＳ１４及びステップＳ２１の判断工程により、コンテンツ情報が伴うＡＡＣＳのコンテンツ保護フラグの内容に応じて、アナログ映像信号の停止又は解像度制御を選択的に行なっている。又、警告画面についても、図３及び図４のフローチャートに示したように、図７のスクリーン５１及び５２を選択的に表示するものである。
【００４５】
これにより、コンテンツ保護フラグに応じてアナログ映像信号のコピー防止を行なうと共に、ユーザはアナログ映像信号の制限処理の理由を知ることができる。
【００４６】
なお、上述したＯＳＤを用いた各メッセージ画面は、必ずしもアナログ映像信号に重畳させるだけではなく、操作部３２に設けられた表示領域や、表示部３３において表示することも好適であり、これによりユーザは、デジタル映像の画面を視聴していても、表示領域や表示部３３を介してメッセージ画面を見ることが可能となるものである。
【００４７】
以上記載した様々な実施形態により、当業者は本実施形態を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【００４８】
例えば、上述した実施形態では、ＨＤ  ＤＶＤを用いてＮＴＳＣの場合で説明したが、同様にＰＡＬ（Phase Alternation by Line）についても適用することができる。更に、ブルーレイディスク（Blue-Lay Disc）や他のディスクフォーマットに適用することも可能である。
【図面の簡単な説明】
【００４９】
【図１】本発明の一実施形態に係る再生装置の構成の一例を示すブロック図。
【図２】本発明の一実施形態に係る記録再生装置の構成の一例を示すブロック図。
【図３】本発明の一実施形態に係る再生装置における出力制限処理（アナログ信号制御）の一例を示すフローチャート。
【図４】本発明の一実施形態に係る再生装置における出力制限処理（解像度制御）の一例を示すフローチャート。
【図５】本発明の一実施形態に係る再生装置における出力制限処理の一例を示すフローチャート。
【図６】本発明の一実施形態に係る再生装置と表示装置との接続の一例を示す説明図。
【図７】本発明の一実施形態に係る再生装置における出力制御処理のメッセージを表示する画面の一例を示す説明図。
【符号の説明】
【００５０】
１１…通信部、１２…ＢＳ／ＣＳチューナ部、１３…地上波チューナ部、１８…ハードディスクドライブ部、１９…光ディスクドライブ部、２０…データ編集部、２１…エンコーダ部、２２…バッファ部、２３…デコーダ部、２８…多重化部、２９…分離部、３０…制御部、３１…コンテンツ保護情報検出部、３２…操作部、３３…表示部、３４…信号処理部、３５…解像度制御部、３７…デジタル映像出力部、３８…アナログ映像出力部、３９…デジタルケーブル、４０…アナログケーブル、４１…デジタル／アナログモニタ、Ｒ…リモコン。
【図１】
0004481923.tif 000002
【図２】
0004481923.tif 000003
【図３】
0004481923.tif 000004
【図４】
0004481923.tif 000005
【図５】
0004481923.tif 000006
【図６】
0004481923.tif 000007
【図７】
0004481923.tif 000008